(57)【要約】【課題】  ネジ止め箇所を少なくしながら、筐体内からの光の漏洩を防止することのできる表示装置を提供することを課題とする【解決手段】  表示装置１４は、内部に表示パネル１８を収容する。第１の筐体２０は、表示パネル１８の表示面を露出させる開口を有し、表示パネル１８が取り付けられる。第２の筐体３０は、表示パネル１８の裏面を覆うように第１の筐体２０に取り付けられる。第１の筐体２０及び第２の筐体３０の一方の先端部３４に折り返し部が形成される。第１の筐体及び第２の筐体の他方の先端部は、第１の筐体及び第２の筐体の一方の先端部３４に差し込まれる差し込み部２２を有する。【選択図】  図２
2013025192.tif 000002
【特許請求の範囲】
【請求項１】
内部に表示パネルを収容する表示装置であって、
前記表示パネルの表示面を露出させる開口を有し、前記表示パネルが取り付けられた第１の筐体と、
前記表示パネルの裏面を覆うように前記第１の筐体に取り付けられる第２の筐体と
を有し、
前記第１の筐体及び前記第２の筐体の一方の先端部に折り返し部が形成され、
前記第１の筐体及び前記第２の筐体の他方の先端部は、前記第１の筐体及び前記第２の筐体の前記一方の先端部に差し込まれる差し込み部を有する表示装置。
【請求項２】
請求項１記載の表示装置であって、
前記折り返し部はリブを有し、
前記差し込み部はスリットを有し、
前記第１の筐体と前記第２の筐体とが組み付けられたときに、前記リブは前記スリットに嵌合する表示装置。
【請求項３】
請求項１又は２記載の表示装置であって、
前記表示装置の先端側は、前記差し込み部と前記先端部との嵌合により固定され、
前記先端側の反対側において、前記第１の筐体と前記第２の筐体とはネジ止めされて固定された表示装置。
【請求項４】
請求項１乃至３のうちいずれか一項記載の表示装置であって、
前記第１の筐体及び前記第２の筐体の前記一方の先端部は樹脂により形成され、前記先端部の内部にアンテナが配置された表示装置。
【請求項５】
操作部が設けられた本体部と、
請求項１乃至４のうちいずれか一項記載の表示装置と
を有する電子機器。
【発明の詳細な説明】
【技術分野】
【０００１】
実施形態は、筐体内にＬＣＤを収容した電子機器に関する。
【背景技術】
【０００２】
ノートパソコン等の情報処理機器には、表示装置としてＬＣＤが用いられることが多い。ＬＣＤパネルは情報処理機器の筐体内に収容され、ＬＣＤパネルの表示面のみが筐体から外部に露出するようになっている。近年、情報処理機器の薄型化が進められており、ＬＣＤを収容する筐体自体にも薄型化が求められている。
【０００３】
例えばノートパソコンの表示部は主にＬＣＤを収容する部分であり、ＬＣＤパネルを筐体内に収容した構成となる。表示部の筐体は、通常、表示面が露出するように形成されたフロントカバーとＬＣＤパネルの背面を覆うように形成されたバックカバーに分かれている。フロントカバー側にＬＣＤを収容した状態で、バックカバーをフロントカバーに取り付けて固定する。バックカバーは、通常、ネジ止めによりフロントカバーに固定される。
【０００４】
例えば、フロントカバーにＬＣＤを取り付けた後に、バックカバーの４隅をフロントカバーにネジ止めして、表示部が形成される。このような構成の表示部の筐体では、フロントカバーとバックカバーの合わせ面がＬＣＤパネルの側面に近接した位置に延在することとなる。
【０００５】
ところが、表示部の薄型化が進み、且つＬＣＤの輝度が強くなると、ＬＣＤパネルの側面から漏れ出た光が、フロントカバーとバックカバーとの合わせ面の隙間から表示部筐体の外部に漏れる出るおそれがある。
【０００６】
ここで、ＬＣＤのバックカバーを分割して形成した際に、分割したバックカバーの合わせ面に、重なり合う部分を設けてつなぎ目からの光の漏れを防止できる構造が提案されている（例えば、特許文献１参照）。
【先行技術文献】
【特許文献】
【０００７】
【特許文献１】特開２００４−３１７９１９号公報
【発明の概要】
【発明が解決しようとする課題】
【０００８】
上述のように、フロントカバーとバックカバーをネジ止めで固定する場合には、フロントカバーとバックカバーとの合わせ面がＬＣＤパネルの側面に対して垂直になり、合わせ面に僅かな隙間が生じると、そこから光が容易に漏れ出てしまう。合わせ面を隙間無く接触するようにネジ止めの箇所を増やすと、その分製造コストが上昇してしまう。また、ネジ止め構造を組み込まなければならないので、筐体自体の厚みが増大するおそれがあり、装置の薄型化を阻害することとなる。
【０００９】
したがって、ネジ止め箇所を少なくしながら、筐体内からの光の漏洩を防止することのできる表示装置の開発が要望されている。
【課題を解決するための手段】
【００１０】
一実施形態によれば、内部に表示パネルを収容する表示装置であって、前記表示パネルの表示面を露出させる開口を有し、前記表示パネルが取り付けられた第１の筐体と、前記表示パネルの裏面を覆うように前記第１の筐体に取り付けられる第２の筐体とを有し、前記第１の筐体及び前記第２の筐体の一方の先端部に折り返し部が形成され、前記第１の筐体及び前記第２の筐体の他方の先端部は、前記第１の筐体及び前記第２の筐体の前記一方の先端部に差し込まれる差し込み部を有する表示装置が提供される。
【００１１】
また、操作部が設けられた本体部と、前記本体部に回動可能に支持された表示部とを有し、前記表示部は上述の表示装置を含む電子機器が提供される。
【発明の効果】
【００１２】
実施形態によれば、ネジ止め箇所を少なくしながら、筐体内からの光の漏洩を防止することのできる表示装置を提供することができる。
【図面の簡単な説明】
【００１３】
【図１】一実施形態による表示装置を有するノートブック型パーソナルコンピュータ（ノートパソコン）の斜視図である。
【図２】フロントカバーとバックカバーとを組み付けてＬＣＤ収容筐体を形成する際の表示装置の分解斜視図である。
【図３】図２のＩＩＩ−ＩＩＩ線に沿った表示装置の断面図である。
【図４】図２のＩＶ−ＩＶ線に沿った表示装置の先端部分の拡大断面図である。
【図５】フロントカバーのスリットとバックカバーのリブとを示す平面図である。
【図６】図５におけるＶＩ−ＶＩ線に沿った断面図である。
【図７】テーパ状の平面形状を有するスリットとリブの平面図である。
【図８】逆テーパ状の断面形状を有するスリットとリブの断面図である。
【図９】図２のＩＸ−ＩＸ線に沿ったネジ止め部の断面図である。
【図１０】フロントカバーの内側を示す平面図である。
【図１１】バックカバーの内側を示す平面図である。
【図１２】係合爪が係合部に係合した状態を示す断面図である。
【図１３】係合爪を係合部に係合させる前の状態を示す斜視図である。
【図１４】係合爪を係合部の上から嵌め込む場合の係合爪と係合部の形状を示す斜視図である。
【図１５】先端部が折り返された形状のフロントカバーと、バックカバーを組み付ける際の斜視図である。
【図１６】図１５に示すフロントカバーの先端部の断面図である。
【発明を実施するための形態】
【００１４】
次に、実施形態について図面を参照しながら説明する。
【００１５】
図１は、一実施形態による表示装置を有するノートブック型パーソナルコンピュータ（ノートパソコン）の斜視図である。図１に示すノートブック型パソコン１０は表示パネルの一例としてＬＣＤパネルを用いた表示装置を有する電子機器の一例であり、本実施形態はノートブック型パソコンに限定されるものではない。また、表示パネルはＬＣＤパネルに限定されるものではなく、例えばＥＬパネル等の他の表示パネルであってもよい。
【００１６】
ノートパソコン１０は、入力操作部が設けられた本体部１２と、本体部１２に対して回動可能に支持された表示装置１４とを有する。表示装置１４はＬＣＤ収容筐体１６を有しており、ＬＣＤ収容筐体１６の中に表示パネルとしてＬＣＤパネル（液晶表示パネル）１８が収容されている。
【００１７】
表示装置１４のＬＣＤ収容筐体１６は、フロントカバー２０とバックカバー３０とにより形成される。フロントカバー２０とバックカバー３０により形成されたＬＣＤ収容筐体１６の中にＬＣＤパネル１８が収容され、ＬＣＤパネル１８の表示面はフロントカバー２０の開口を介して外部に露出している。本実施形態では、フロントカバー２０とバックカバー３０は樹脂で形成されているものとするが、マグネシウム合金等の金属で形成されることもある。
【００１８】
図２はフロントカバー２０とバックカバー３０とを組み付けてＬＣＤ収容筐体１６を形成する際の表示装置１４の分解斜視図である。図２において、バックカバー３０の内側にはＬＣＤパネル１８が取り付けられており、フロントカバー２０の開口内でＬＣＤパネル１８の表示面が露出している。ＬＣＤパネル１８が取り付けられたバックカバー３０にフロントカバー２０を組み付けることで、ＬＣＤパネル１８が収容されたＬＣＤ収容筐体１６が形成される。
【００１９】
ＬＣＤ収容筐体１６は、側面から見るとほぼ中央で２つに分割されており、分割された一方がフロントカバー２０となり、他方がバックカバー３０となる。ＬＣＤ収容筐体１６の先端全体はバックカバー３０の一部となっており、フロントカバー２０はＬＣＤ収容筐体１６の先端まで延在していない。すなわち、バックカバー３０の先端部３２はフロントカバー２０側に折り返されており、折り返されてフロントカバー２０対向する端部が、フロントカバー２０の合わせ面２０と突き合わされる合わせ面３０ａとなっている。したがって、フロントカバー２０とバックカバー３０の合わせ面２０ａ、３０ａは、ＬＣＤ収容筐体１６の先端から内側に入った部分に位置している。
【００２０】
フロントカバー２０とバックカバー３０との合わせ面について、図３及び図４を参照しながら説明する。図３は図２のＩＩＩ−ＩＩＩ線に沿った表示装置１４の断面図である。図４は、図２のＩＶ−ＩＶ線に沿った表示装置１４先端部分の拡大断面図である。
【００２１】
フロントカバー２０の先端側には、フロントカバー差し込み部２２が形成されている。フロントカバー差し込み部２２は、フロントカバー２０をバックカバー３０に組み付ける際に、バックカバー３０の内側に入り込む部分である。すなわち、フロントカバー２０の先端部分の合わせ面２０ａをバックカバー３０の合わせ面３０ａに突き合わせるときに、フロントカバー差し込み部２２は、バックカバー３０の合わせ面３０ａの下側に差し込まれる。
【００２２】
したがって、フロントカバー２０をバックカバー３０に組み付けたときに、フロントカバー２０の先端部分の合わせ面２０ａとバックカバー３０の合わせ面３０ａとの間に間隙があっても、その間隙の下にはフロントカバー差し込み部２２が延在している。これにより、ＬＣＤ収容筐体１６の内部においてＬＣＤパネル１８から漏洩した光が、フロントカバー２０の先端部分の合わせ面２０ａとバックカバー３０の合わせ面３０ａとの間の間隙に直接入ることが防止される。
【００２３】
また、フロントカバー２０とバックカバー３０を組み付けたときに、フロントカバー差し込み部２２の上面がバックカバー３０の内面に接触するように設計されている。このため、ＬＣＤ収容筐体１６の内部においてＬＣＤパネル１８から漏洩した光が、フロントカバー差し込み部２２の上面とバックカバー３０の内面との間を通過することが抑制される。これにより、ＬＣＤ収容筐体１６の内部においてＬＣＤパネル１８から漏洩した光がフロントカバー２０の先端部分の合わせ面２０ａとバックカバー３０の合わせ面３０ａとの間の間隙まで進むことが抑制される。
【００２４】
さらに、フロントカバー２０のフロントカバー差し込み部２２の上面とバックカバー３０の内面との間に間隙が生じたとしても、この間隙はＬＣＤパネル１８の側面に向いていないので、ＬＣＤパネル１８から漏洩した光が直接この間隙入ることはない。
【００２５】
以上の理由により、ＬＣＤ収容筐体１６の内部においてＬＣＤパネル１８から漏洩した光が、フロントカバー２０の先端部分の合わせ面２０ａとバックカバー３０の合わせ面３０ａとの間の間隙からＬＣＤ収容筐体１６の外部に漏れ出ることは無い。
【００２６】
フロントカバー差し込み部２２の上面がバックカバー３０の内面の下側に差し込まれて接触する構造としたことにより、この部分でフロントカバー２０とバックカバー３０とが嵌合する。また、バックカバー３０の内面に複数のリブ３４が形成され、このリブ３４がフロントカバー差し込み部２２に形成されたスリット２４に嵌合する。リブ３４とスリット２４が嵌合することで、フロントカバー２０とバックカバー３０との嵌合が補強される。以上の構成により、ＬＣＤ収容筐体１６の先端側（本体部１２に支持される側の反対側）において、フロントカバー２０とバックカバー３０とを強固に固定することができ、この部分においてネジ止め等で固定する必要がなくなる。
【００２７】
したがって、本実施形態では、フロントカバー２０とバックカバー３０とを互いに固定するためのネジは、ＬＣＤ収容筐体１６の四隅ではなく、本体部１２に近い側の片側２箇所のみとなっている。これにより、ＬＣＤ収容筐体１６の部品点数が低減し、組み立て工数（ネジ締め工程数）も低減されている。
【００２８】
図５はフロントカバー２０のスリット２４とバックカバーのリブ３４とを示す平面図である。図６は図５におけるＶＩ−ＶＩ線に沿った断面図である。リブ３４は全体に同一の幅を有しており、スリット２４も全体に同一の幅を有している。図５及び図６では、図示の便宜状、リブ３４とスリット２４との間の間隙を大きく描いているが、この間隙は極小さいことが好ましく、リブ３４がスリット２４に嵌合して常に接触しているような状態とすることが好ましい。リブ３４の外面とスリット２４の内面が接触することで、フロントカバー差し込み部２２とバックカバー３０の嵌合接続を補強することができる。
【００２９】
スリット２４とリブ３４の平面形状を図７に示すようにテーパ状とすることにより、リブ３４とスリット２４とをより強く嵌合することができる。また、スリット２４とリブ３４の断面形状を図８に示すように逆テーパ状とすることにより、リブ３４とスリット２４とをより強く嵌合することができる。
【００３０】
以上のように、ＬＣＤ収容筐体１６の先端部分では、フロントカバー２０とバックカバー３０が嵌合接続されるため、先端部分はねじ止めする必要が無くなる。したがって、本実施形態では、フロントカバー２０とバックカバー３０とのネジ止めは、操作部１２の側の２箇所のみとすることができる。
【００３１】
図９はネジ止め部の断面図であり、図２のＩＸ−ＩＸ線に沿った断面図に相当する。フロントカバー２０とバックカバー３０とを互いに固定するためのネジ４０は、ネジ頭部がフロントカバー２０の表面側に形成された凹部２６に収容された状態で、バックカバー３０内面から起立して形成されたボス３６にねじ込まれる。なお、本実施形態では、ネジ４０によりフロントカバー２０とバックカバーとをネジ止めする際に、ＬＣＤ固定用板金を間に挟んでネジ４０を締め付けている。これにより、フロントカバー２０とバックカバー３０とを固定するためのネジ４０により、ＬＣＤ筐体１６内でＬＣＤパネル１８も固定することができる。ネジ４０を締め付けた後、凹部２６の開口部は外から見えないように例えばシール等で塞がれる。
【００３２】
なお、ノートパソコンには、無線通信用のアンテナが組み込まれる場合が多く、本実施形態では、バックカバー３０の折り返された先端部３２の内部にワイヤレスアンテナ５０が収容される。先端部３２にはＬＣＤパネル１８が延在しないため、この空きスペースを利用してワイヤレスアンテナ５０を設けたものである。先端部３２を含めてバックカバー３０を樹脂で形成することで、樹脂で覆われた部分にワイヤレスアンテナ５０を設けることができる。
【００３３】
また、バックカバー３０に折り返した先端部３２を設けることで、ＬＣＤ収容筐体１６の先端部に合わせ面が無くなり、先端部を様々な形状とすることができる。これにより、ノートパソコンのデザインの自由度が広がり、良好な外観を有するノートパソコンを設計することができる。
【００３４】
次に、フロントカバー２０とバックカバー３０の側面側における取り付け構造について説明する。図１０はフロントカバー２０の内側を示す平面図である。図１１はバックカバー３０の内側を示す平面図である。
【００３５】
図１０に示すように、フロントカバー２０の左右の側壁２０ｂ、２０ｃに沿って、複数箇所に係合部２８が形成されている（図１０では２箇所）。また、図１１に示すように、バックカバー３０の側壁３０ｂ、３０ｃに沿って、複数箇所に係合爪３８が形成されている。フロントカバー２０とバックカバー３０を組み付ける際に、バックカバー３０の係合爪３８は、フロントカバー２０の係合部に係合する。
【００３６】
図１２は係合爪３８が係合部２８に係合した状態を示す断面図である。図１３は係合爪３８を係合部２８に係合させる前の状態を示す斜視図である。バックカバー３０をフロントカバー２０に組み付けるときには、フロントカバー２２の差し込み部２２がバックカバー３０の内面の下に差し込まれるように、フロントカバー２３とバックカバー３０を移動させる。この際、図１３に示すようにバックカバー３０の係合爪３８はフロントカバー２０の係合部２８の下に差し込まれことで、係合爪３８は係合部２８に係合し、フロントカバー２０とバックカバー３０が互いに固定される。
【００３７】
係合爪３８を係合部２８の上から嵌め込むこととしてもよい。この場合、図１４に示すように、係合爪３８に傾斜面３８ａを形成し、且つ係合部２８にも傾斜面２８ａを形成することが好ましい。係合爪３８の傾斜面３８ａを係合部２８の傾斜面２８ａに押し付けることにより、係合爪３８が形成された部分及び係合部２８が形成された部分が僅かに変形し、係合爪３８を容易に係合部２８の下に入り込ませることができる。
【００３８】
以上説明した実施形態ではバックカバー３０の先端部３２を折り返した形状としているが、反対にフロントカバー２０の先端部を折り返した形状としてもよい。図１５は先端部２２Ａが折り返された形状のフロントカバー２０Ａと、バックカバー３０Ａを組み付ける際の斜視図である。図１５に示すフロントカバー２０Ａとバックカバー３０Ａは、図２に示すフロントカバー２０とバックカバー３０の形状を入れ替えたものである。すなわち、フロントカバー２０Ａの先端部２０Ａが折り返された形状を有し、バックカバー３０Ａがバックカバー差し込み部３２Ａを有する。バックカバー差し込み部３２Ａをフロントカバー２０Ａの合わせ面２０Ａａの下に差し込んで、フロントカバー２０Ａの合わせ面２０Ａａとバックカバー３０Ａの合わせ面３０Ａａに突き当てることで、フロントカバー２０Ａとバックカバー３０Ａとが嵌合接続される。なお、図１５に示す例では、フロントカバー２０ＡにＬＣＤパネル１８を取り付けてからバックカバー３０Ａを取り付けることとなる。
【００３９】
図１６はフロントカバー２０Ａの先端部２２Ａの断面図である。バックカバー３０Ａの先端からはバックカバー差し込み部３２Ａが延在しているため、ワイヤレスアンテナ５０は、アンテナ用台座５２を介してバックカバー３０Ａの内面に取り付けられる。ワイヤレスアンテナ５０をバックカバー差し込み部３２Ａからある程度離間するように配置して、バックカバー差し込み部３２Ａをフロントカバー２０Ａに差し込むときに妨げとならないようにするためである。
【００４０】
フロントバー２０Ａとバックカバー３０Ａとで形成された表示装置のその他の構造は、図２に示すＬＣＤ収容筐体１６の構造と同等であり、その説明は省略する。
【００４１】
以上のように、本明細書は以下の事項を開示する。
（付記１）
内部に表示パネルを収容する表示装置であって、
前記表示パネルの表示面を露出させる開口を有し、前記表示パネルが取り付けられた第１の筐体と、
前記表示パネルの裏面を覆うように前記第１の筐体に取り付けられる第２の筐体と
を有し、
前記第１の筐体及び前記第２の筐体の一方の先端部に折り返し部が形成され、
前記第１の筐体及び前記第２の筐体の他方の先端部は、前記第１の筐体及び前記第２の筐体の前記一方の先端部に差し込まれる差し込み部を有する表示装置。
（付記２）
付記１記載の表示装置であって、
前記折り返し部はリブを有し、
前記差し込み部はスリットを有し、
前記第１の筐体と前記第２の筐体とが組み付けられたときに、前記リブは前記スリットに嵌合する表示装置。
（付記３）
付記２記載の表示装置であって、
前記リブと前記スリットの平面形状はテーパ形状である表示装置。
（付記４）
付記２又は３記載の表示装置であって、
前記リブと前記スリットの断面形状はテーパ形状である表示装置。
（付記５）
付記１乃至４のうちいずれか一項記載の表示装置であって、
前記表示装置の先端側は、前記差し込み部と前記先端部との嵌合により固定され、
前記先端側の反対側において、前記第１の筐体と前記第２の筐体とはネジ止めされて固定された表示装置。
（付記６）
付記１乃至５のうちいずれか一項記載の表示装置であって、
前記第１の筐体及び前記第２の筐体の前記一方の先端部は樹脂により形成され、前記先端部の内部にアンテナが配置された表示装置。
（付記７）
操作部が設けられた本体部と、
付記１乃至６のうちいずれか一項記載の表示装置と
を有する電子機器。
（付記８）
付記７記載の電子機器であって、
前記電子機器はノートブック型パーソナルコンピュータである電子機器。
【符号の説明】
【００４２】
１０  ノートパソコン
１２  本体部
１４  表示装置
１６  ＬＣＤ収容筐体
１８  ＬＣＤパネル
２０，２０Ａ  フロントカバー
２０ａ，２０Ａａ  合わせ面
２２  フロントカバー差し込み部
２２Ａ  先端部
２４  スリット
２６  凹部
２８  係合部
２８ａ  傾斜面
３０，３０Ａ  バックカバー
３０ａ，３０Ａａ  合わせ面
３２  先端部
３２Ａ  バックカバー差し込み部
３４  リブ
３６  ボス
３８  係合爪
３８ａ  傾斜面
４０  ネジ
５０  ワイヤレスアンテナ
５２  アンテナ用台座５２
【図１】
2013025192.tif 000003
【図２】
2013025192.tif 000004
【図３】
2013025192.tif 000005
【図４】
2013025192.tif 000006
【図５】
2013025192.tif 000007
【図６】
2013025192.tif 000008
【図７】
2013025192.tif 000009
【図８】
2013025192.tif 000010
【図９】
2013025192.tif 000011
【図１０】
2013025192.tif 000012
【図１１】
2013025192.tif 000013
【図１２】
2013025192.tif 000014
【図１３】
2013025192.tif 000015
【図１４】
2013025192.tif 000016
【図１５】
2013025192.tif 000017
【図１６】
2013025192.tif 000018